(57)【要約】【課題】床材の表面に窪み等の不具合を起こし得ない床暖房パネルを提供すること。【解決手段】床暖房パネル１は、板状の床材本体２とパイプ状発熱体とを有する床暖房装置である。床材本体２の裏面２１側に、パイプ収納凹溝１０と端部収納凹部１１とが設けられている。パイプ収納凹溝１０は、断面視で凹状を成しており、幅Ｗ２と深さＤ２を備えている。端部収納凹部１１は、断面視で凹状を成しており、幅Ｗ１と深さＤ１を備えている。端部収納凹部１１には、金属板からなる補強板５が設けられている。床材本体２の裏面２１から補強板５の底面５ｂまでの深さＤ３は、パイプ収納凹溝１０の深さＤ２と同じであり、補強板５の底面５ｂとパイプ収納凹溝１０の天面１０ａとは、同一の高さである。補強板５は、端部収納凹部１１において、床材本体２の設置姿勢を基準として、パイプ収納凹溝１０の天面の高さよりも高い位置に配置されている。【選択図】図３
2013108689.tif 000002
【特許請求の範囲】
【請求項１】
パイプ状電熱体又は熱媒体流通パイプからなるパイプ状発熱体と、板状の床材本体とを有し、設置姿勢を基準として前記床材本体の裏面側にパイプ収納凹溝と、パイプ収納凹溝に連続しパイプ収納凹溝よりも幅が広い端部収納凹部が形成され、端部収納凹部の一部又は全部の深さは前記パイプ収納凹溝の深さよりも深く、前記パイプ収納凹溝にはパイプ状発熱体の本体部分が収容され、前記端部収納凹部には前記パイプ状発熱体を外部及び／又は隣接する床材本体が有するパイプ状発熱体と接続するための器具が収容され、前記端部収納凹部の天面であってパイプ収納凹溝よりも深さが深い部位に金属板からなる補強板が取り付けられていることを特徴とする床暖房パネル。
【請求項２】
設置姿勢を基準として補強板の下側表面と、パイプ収納凹溝の天井面とが同一の高さであることを特徴とする請求項１に記載の床暖房パネル。
【発明の詳細な説明】
【技術分野】
【０００１】
本発明は、床暖房パネルに関し、さらに詳細には、発熱部材を内蔵した床暖房パネルに関する。
【背景技術】
【０００２】
床暖房パネルは、床下に電気で発熱する発熱体を配置したものや、熱媒体を循環させるパイプを配置したものなど、様々なものが利用されている。特許文献１には、温水パイプを備えた床暖房パネルが開示されている。
【０００３】
特許文献１に記載された床暖房パネルでは、床材の裏面側にパイプ収納溝が形成されている。また、パイプ収納溝に連通する床材の端部には、ヘッダー収納凹所が設けられている。ヘッダー収納凹所は、ヘッダーと呼ばれる熱源接続器具を収容する溝である。ヘッダーは、外部の熱源と温水パイプとをつなぐ接続器具であり、温水パイプよりも広い空間を必要とするものである。ヘッダー収納凹所は、構造上、床材として強度が弱くなっており、移動式ワゴンのキャスター等によってピンポイントで荷重が加わると窪んでしまう恐れがある。そのため、特許文献１に記載された床暖房パネルでは、ヘッダー収納凹所に収容されたヘッダーと床材との間に断熱材を挟み、隙間をなくすことで、床材に窪みが生じることが防止されている。
【先行技術文献】
【特許文献】
【０００４】
【特許文献１】特開平１１−３０４１７０号公報
【発明の概要】
【発明が解決しようとする課題】
【０００５】
ところが、特許文献１に記載の床暖房パネルでは、ヘッダー収納凹所の体積がヘッダーの体積よりも大きいため、ヘッダー収納凹所内に隙間が生じている。ヘッダー収納凹所内に生じた隙間は、何ら補強がなされていない単なる空洞であり、ピンポイントで荷重が加わると、床材の表面が窪んでしまう恐れがある。
【０００６】
そこで、本発明は、床材の表面に窪み等の不具合を起こし得ない床暖房パネルの提供を目的とする。
【課題を解決するための手段】
【０００７】
上記課題を解決するための請求項１に記載の発明は、パイプ状電熱体又は熱媒体流通パイプからなるパイプ状発熱体と、板状の床材本体とを有し、設置姿勢を基準として前記床材本体の裏面側にパイプ収納凹溝と、パイプ収納凹溝に連続しパイプ収納凹溝よりも幅が広い端部収納凹部が形成され、端部収納凹部の一部又は全部の深さは前記パイプ収納凹溝の深さよりも深く、前記パイプ収納凹溝にはパイプ状発熱体の本体部分が収容され、前記端部収納凹部には前記パイプ状発熱体を外部及び／又は隣接する床材本体が有するパイプ状発熱体と接続するための器具が収容され、前記端部収納凹部の天面であってパイプ収納凹溝よりも深さが深い部位に金属板からなる補強板が取り付けられていることを特徴とする床暖房パネルである。
【０００８】
本発明で採用する床暖房パネルは、パイプ収納凹溝にパイプ状発熱体を収容した床暖房パネルの構成に加えて、パイプ収納凹溝の深さよりも深い端部収納凹部を備えている。ここで「深さ」とは、床材本体の設置姿勢を基準とした床面からの高さを指すものである。端部収納凹部は、パイプ状発熱体を外部及び／又は隣接する床材本体が有するパイプ状発熱体と接続するための器具が収容される溝である。
【０００９】
端部収納凹部の天面には、金属板からなる補強板が取り付けられており、パイプ収納凹溝よりも深さが深い部位に位置している。床材本体の設置姿勢を基準とすると、補強板は、パイプ収納凹溝の天面の高さよりも高い位置に配置されている。そのため、端部収納凹部が金属板からなる補強板で補強されているため、床材の表面に窪み等の不具合が生じることが防止されている。
【００１０】
請求項２に記載の発明は、設置姿勢を基準として補強板の下側表面と、パイプ収納凹溝の天井面とが同一の高さであることを特徴とする請求項１に記載の床暖房パネルである。
【００１１】
本発明で採用する床暖房パネルでは、例えば、パイプ収納凹溝と同等の高さを有する前記器具を端部収納凹部に設置した場合に、端部収納凹部に設置された補強板の下側表面と前記器具とを当接させることが可能である。そのため、前記器具を補強部材として利用できるため、端部収納凹部の強度を増すことが可能である。
【００１２】
また、前記器具に接続するパイプ状発熱体を変形させる必要がほとんどないため、パイプ状発熱体の強度及び暖房効果を低下させることがない。
【発明の効果】
【００１３】
本発明の床暖房パネルによれば、端部収納凹部が金属板からなる補強板で補強されているため、床材の表面に窪み等の不具合を起こし得ない。
【図面の簡単な説明】
【００１４】
【図１】本発明の実施形態に係る床暖房パネルを示す斜視図である。
【図２】図１の床暖房パネルの分解斜視図である。
【図３】図２の床材本体のＡ−Ａ断面図である。
【発明を実施するための形態】
【００１５】
以下、本発明の床暖房パネルの実施形態について、図面を参照しながら詳細に説明する。なお、以下の説明は、実施形態の理解を容易にするためのものであり、これによって、本発明が制限して理解されるべきではない。
【００１６】
本発明の実施形態に係る床暖房パネル１は、床暖房装置の一部を形成する床暖房単体パネルであり、図１に示すように、板状の床材本体２とパイプ状発熱体３とを有している。なお、図１〜３は、便宜上、床暖房パネル１の設置姿勢を基準として、床材本体２の裏面２１側が上面となるように描写している。
【００１７】
床材本体２には接続器具４が配置されており、パイプ状発熱体３の両端部３ａ，３ｂは接続器具４に接続されている。
【００１８】
図２に示すように、床暖房パネル１の設置姿勢を基準として、床材本体２の裏面２１側に、パイプ収納凹溝１０と端部収納凹部１１とが設けられている。なお、床材本体２の表面２０側は、床暖房パネル１の化粧面を成すものである。
【００１９】
パイプ収納凹溝１０は、パイプ状発熱体３を収容可能な溝であり、床材本体２の平面内でＣ字状を成している。図３に示すように、パイプ収納凹溝１０は、断面視で凹状を成しており、幅Ｗ２と深さＤ２を備えている。
【００２０】
端部収納凹部１１は、接続器具４を収容可能な溝であり、図２に示すように、床材本体２の平面内で四角状を成している。図３に示すように、端部収納凹部１１は、断面視で凹状を成しており、幅Ｗ１と深さＤ１を備えている。
【００２１】
また、図２，３に示すように、床暖房パネル１の設置姿勢を基準として、端部収納凹部１１には、金属板からなる補強板５が設けられている。補強板５は、平面視で四角状であり、幅Ｗ１と厚みＨ１を備えている。なお、補強板５の天面５ａは、端部収納凹部１１の天面１１ａに当接している。
【００２２】
パイプ状発熱体３は、図１，２に示すように、２管構造であり、温水等の熱媒体が当該２管を平行に流れる熱媒体流通パイプ１５により形成されている。パイプ状発熱体３は、幅Ｗ３と高さＨ２を備えた管部材である（１管当たりの幅は、幅Ｗ３の約２分の１）。パイプ状発熱体３は、合成樹脂で形成されており、屈曲性を有している。なお、パイプ状発熱体３として、熱媒体流通パイプ１５の代わりに、パイプ状の電熱体を用いても構わない。
【００２３】
接続器具４は、図１，２に示すように、外部又は隣接する床暖房パネルから供給される温水等の熱媒体を、熱媒体流通パイプ１５に流すための接続部材である。すなわち、接続器具４は、内部に熱媒体用の流路を有した箱型部材であり、端部に複数の接続口４ａ〜４ｄを有している。接続口４ａ，４ｂには、それぞれパイプ状発熱体３の端部３ａ，３ｂが接続される。一方、接続口４ｃ，４ｄには、外部の熱媒体供給装置や、隣接する他の床材本体が有するパイプ状発熱体が接続される。また、接続器具４は、幅Ｗ４と高さＨ３を備えている。
【００２４】
つぎに、床材本体２におけるパイプ収納凹溝１０と端部収納凹部１１、補強板５との関係について説明する。
【００２５】
図３に示すように、端部収納凹部１１の幅Ｗ１は、パイプ収納凹溝１０の幅Ｗ２よりも広く、端部収納凹部１１の深さＤ１は、パイプ収納凹溝１０の深さＤ２よりも深い。
【００２６】
また、床材本体２の裏面２１から補強板５の底面５ｂまでの深さＤ３は、パイプ収納凹溝１０の深さＤ２と同じであり、補強板５の底面５ｂとパイプ収納凹溝１０の天面１０ａとは、同一の高さである。
【００２７】
つまり、補強板５は、端部収納凹部１１において、床材本体２の設置姿勢を基準として、パイプ収納凹溝１０の天面の高さ（深さＤ２）よりも高い位置に配置されている。
【００２８】
また、端部収納凹部１１に収容される接続器具４の幅Ｗ４と高さＨ３は、それぞれ端部収納凹部１１の幅Ｗ１と前述の深さＤ３と同等である。そのため、接続器具４は、図１に示したように、端部収納凹部１１に丁度収容されており、接続器具４の裏面４ｅと床材本体２の裏面２１とは、同一平面上に位置している。
【００２９】
以上のように、本発明の実施形態に係る床暖房パネル１によれば、補強板５は、端部収納凹部１１において、床材本体２の設置姿勢を基準として、パイプ収納凹溝１０の高さ（深さＤ２）よりも高い位置に配置されている。また、端部収納凹部１１に収容された接続器具４の裏面４ｅと床材本体２の裏面２１とは、同一平面上に位置している。その結果、端部収納凹部１１が補強板５で補強されているため、床材本体２の表面に窪み等の不具合が生じることが防止されている。また、接続器具４の裏面４ｅと床材本体２の裏面２１とが同一平面であるため、端部収納凹部１１は収容された接続器具４で補強されており、強度が増されている。
【符号の説明】
【００３０】
１    床暖房パネル
２    床材本体
３    パイプ状発熱体
４    接続器具
５    補強板
１０    パイプ収納凹溝
１０ａ    天面
１１    端部収納凹部
１１ａ    天面
１５    熱媒体流通パイプ
Ｄ１    深さ
Ｄ２，Ｄ３    深さ（高さ）
Ｗ１，Ｗ２    幅
【図１】
2013108689.tif 000003
【図２】
2013108689.tif 000004
【図３】
2013108689.tif 000005